(57)【要約】【課題】ホログラム、特に撮影方式のホログラムと回折格子パターンを複合させる際に、回折格子パターンの輝度が高過ぎて違和感がある点を解消する。【解決手段】微小な単位回折格子Ａと格子間隔の広い別の単位回折格子Ｂとを交互に繰返して配列するか、または、単位回折格子Ａを間をおいて配列し、間には何も無い状態として、回折格子パターン１を構成し、回折格子パターンの輝度を下げることができ、複合するホログラムの輝度と調和を取ることができた。【選択図】　図１
2004077780.tif 000002
【特許請求の範囲】
【請求項１】
パターン内に単位回折格子が間隙を有して配置されており、前記間隙には何も無いか、または／および前記単位回折格子の格子間隔よりも広い格子間隔を有する他の単位回折格子が配置されていることを特徴とする回折格子パターン。
【請求項２】
パターン内に微小区域が密に区画されており、前記の各々の微小区域には、単位回折格子が、前記単位回折格子の配列されていない微小区域を残して均一に配置されており、前記単位回折格子の配列されていない微小区域には、何も配置されていないか、または／および前記単位回折格子の格子間隔よりも広い格子間隔を有する他の単位回折格子が配置されていることを特徴とする回折格子パターン。
【請求項３】
請求項１または請求項２記載の回折格子パターンとホログラムとが密に並んでいるか、もしくは、いずれか一方が他方を背景としていることを特徴とする、ホログラムを伴なった回折格子パターン。
【請求項４】
前記回折格子パターンと前記ホログラムとは、輝度がほぼ等しいものであることを特徴とする請求項３記載のホログラムを伴なった回折格子パターン。
【発明の詳細な説明】
【０００１】
【発明の属する技術分野】
本発明は、輝度の調整が施された回折格子パターン、もしくは、そのような回折格子パターンがホログラムを伴なったものに関するものである。
【０００２】
【従来の技術】
回折格子パターンやホログラムは、例えば、預貯金用カードやクレジットカード等のカード類等、あるいは、ビデオソフトや有名ブランドの腕時計等の商品、もしくはケースに、それらの真正性を保証する目的で、適用されていることが多い。
【０００３】
回折格子パターンやホログラムが、種々の物品に、それらの真正性を保証する目的で適用されているのは、製造の困難性に基づく偽造の困難さのためとされており、また、干渉色を伴なった、独特の外観を有していて目をひきやすく、意匠的にも優れており、さらに場合によっては、剥がそうとすると破壊するものもある等のメリットを有しているからでもある。
【０００４】
このうち、回折格子パターンを製作する際には、電子線描画装置を使用することが多く、格子間隔を０．５μｍ〜３μｍ程度にして、最終的に得られる回折格子パターンの輝度を、最も高くするのが普通である。しかしながら、輝度の高い回折格子パターンを種々の物品に貼る場合、物品によっては、回折格子パターンと周囲との輝度の差が大きくなり過ぎて、違和感を生じたり、あるいは、その物品がもともと輝度が高い場合には、却って、回折格子パターンが目立たなくなることもある。
【０００５】
また、回折格子パターンとホログラムとはしばしば併用されて複合絵柄とされることがある。回折格子パターンは、二次元的な表現に限られるものの、輝度が高く、また、反射光の角度を自由に設計できる利点があり、これに対し、ホログラムは三次元的な表現ができる利点があるため、両者を複合すれば、各々の長所が生きるからである。
【０００６】
回折格子パターンとホログラムとの複合絵柄を作成する場合、ホログラム、特に撮影方式によるホログラムは、回折格子パターンにくらべると輝度が低いために、輝度の高い回折格子パターンのみが目立ち、複合絵柄としての一体感が生じにくく、やはり違和感がある。回折格子パターンの製作の際に、複合するホログラムの輝度に合わせて格子間隔を設定し、輝度を低下させることは煩雑である。
【０００７】
【発明が解決しようとする課題】
従って、本発明においては、回折格子パターンを物品に適用する際に、周囲部分との輝度の差が大きくなり、違和感が生じたり、逆にその物品の輝度が高いために目立たなくなる欠点を解消することを課題とするものである。また、本発明においては、回折パターンとホログラムを併用する場合、ホログラム、特に撮影方式によるホログラムが、回折格子パターンよりも輝度が低く、両者を複合させると違和感が生じる点を解消することを課題とするものでもある。
【０００８】
【課題を解決する手段】
発明者が種々検討した結果、単に輝度の高い回折格子パターンを使用するのに替えて、例えば、パターンを微小な単位回折格子に分割し、各単位回折格子を配置する際に、何も配置しない部分を残すか、あるいは、通常の格子間隔の単位回折格子に加えて、格子間隔の大きい単位回折格子を交互に配置する等により、回折パターン全体の輝度を制御して低下させ得ることが判明し、本発明に到達することができた。
【０００９】
第１の発明は、パターン内に単位回折格子が間隙を有して配置されており、前記間隙には何も無いか、または／および前記単位回折格子の格子間隔よりも広い格子間隔を有する他の単位回折格子が配置されていることを特徴とする回折格子パターンに関するものである。
【００１０】
第２の発明は、パターン内に微小区域が密に区画されており、前記の各々の微小区域には、単位回折格子が、前記単位回折格子の配列されていない微小区域を残して均一に配置されており、前記単位回折格子の配列されていない微小区域には、何も配置されていないか、または／および前記単位回折格子の格子間隔よりも広い格子間隔を有する他の単位回折格子が配置されていることを特徴とする回折格子パターンに関するものである。
【００１１】
第３の発明は、第１または第２の発明の回折格子パターンとホログラムとが密に並んでいるか、もしくは、いずれか一方が他方を背景としていることを特徴とする、ホログラムを伴なった回折格子パターンに関するものである。
【００１２】
第４の発明は、第３の発明において、前記回折格子パターンと前記ホログラムとは、輝度がほぼ等しいものであることを特徴とするホログラムを伴なった回折格子パターンに関するものである。
【００１３】
【発明の実施の形態】
電子線描画装置を使用して回折格子を描画し、回折格子パターンを製作する際に、回折格子パターンの輝度を最も高くするには、格子間隔を０．５μｍ〜３μｍ程度になるよう描画することが好ましいことは既に述べたが、この格子間隔を拡大すればするほど、得られる回折格子パターンの輝度が低くなる。勿論、その都度、適正な格子間隔を決めて描画することもできるが、格子間隔をその都度変えるより、一定な格子間隔の描画条件を維持できれば、製造条件をあまり変えずに生産を行なえる利点がある。
【００１４】
図１（ａ）は、本発明の輝度の調整が施された回折格子パターン１の例を示す図であって、回折格子パターン１の全体は、太い線で描かれた文字「Ａ」の形状からなるものである。図１（ｂ）および図１（ｃ）は、回折格子パターンの一部の微小な区域２のさらに細かい構造を示す図であり、図中の区域２は、縦２×横４の合計８個の正方形の単位区域が縦横に格子状に配列したものからなり、各単位区域は、目視で分離して見えない程度の微小な区域からなるものである。
【００１５】
図１（ｂ）に示すように、本発明の回折格子パターン１は、一例として、区域２に、上記単位区域と形状および大きさが等しい単位回折格子Ａ（符号２ａ）、および、上記単位区域と形状および大きさが等しく、単位回折格子Ａよりも格子間隔の広い単位回折格子Ｂ（符号２ｂ）が交互に繰返し配置されたものである。
【００１６】
単位回折格子Ａの格子間隔は０．５μｍ〜３μｍ、例えば３μｍであり、また、単位回折格子Ｂは、例えば、５μｍの格子間隔を有しており、単位回折格子Ｂの方が単位回折格子Ｂよりも輝度が低い。このように、格子間隔の異なる両単位回折格子ＡおよびＢが配置されたことにより、得られる回折格子パターン１の輝度は、単位回折格子Ａ単独から得られる回折格子にくらべて、低いものとなり、その輝度は、単位回折格子Ａ単独から得られる回折格子の輝度と、単位回折格子Ｂ単独から得られる回折格子との間の輝度となる。なお、単位回折格子Ａにおける格子間隔の下限値０．５μｍは、現状の電子線描画装置の限界に近いが、可能であれば、より狭い格子間隔であってもよい。
【００１７】
格子間隔の異なる単位回折格子どうしを配置する場合、格子間隔の大きい方の単位回折格子（Ｂ）の回折格子の間隔が、他方の単位回折格子（Ａ）の格子間隔の２倍以上であることが好ましいが、過大になると、単位回折格子Ｂの輝度が低くなりすぎて、以降に、図１（ｃ）を引用して説明する場合の何も配置されていない場合に限りなく近づくので、実際には、１０倍程度以下である。
【００１８】
図１（ｃ）に示すように、本発明の回折格子パターン１は、区域２の単位区域の一つおきに、図１（ｂ）におけるのと同様な単位回折格子Ａ（符号２ａ）が、配置されたものであってもよい。このように単位回折格子Ａが、単位区域の半分を占めるのみで、残りの単位区域には何も配置されていないと、得られる回折格子の輝度は、単位回折格子Ａの輝度にくらべ、かなり低いものとなる。
【００１９】
以上の二例においては、回折格子パターン１は、単位回折格子Ａとそれよりは格子間隔の広い別の単位回折格子Ｂとが単位区域に繰返し配置されているか、単位回折格子Ａが一つおきに配置されているかのいずれかであるが、本発明における回折格子パターン１は、これらに限られることなく、次のようなものであってもよい。
【００２０】
例えば、回折格子パターン１は、単位回折格子Ａと、それよりはいずれも格子間隔が広く、互いに格子間隔の異なる二種類以上の単位回折格子（例えば、Ｂ、Ｃの二種類）を組合せてもよい。あるいは、回折格子パターン１は、単位回折格子を二つおき、もしくはそれ以上の間隔をあけた単位区域に配置し、二つおきであれば、間の単位区域の一方に上記の単位回折格子Ｂを配置し、他方には何も配置しないものであってもよい。なお、以上の説明では、単位回折格子を格子状に配置するとしたが、必ずしも格子状等の区画された微小区域に配置せず、単位回折格子を間隙を有して配置してもよい。
【００２１】
本発明の回折格子パターン１は、回折格子パターン１単独でも使用できるが、ホログラムと併用された、即ち、ホログラムを伴なった複合絵柄からなるものであってもよい。回折格子パターン１とホログラムとは、互いに離れていることもあり得るが、好ましくは、互いに密に接して並んでいるか、いずれか一方が他方を背景とするものであることが、両者の併用の効果を上げる意味で好ましい。
【００２２】
本発明の回折格子パターン１とホログラムとが、互いに密に接して並んでいるか、いずれか一方が他方を背景とするものである場合、両者は、輝度の差が小さく、あたかも一体となったように認識されるものであることが好ましいので、通常は、輝度が低い方であるホログラムの輝度に合わせて、回折格子パターン１の輝度を下げるのが好ましい。
【００２３】
図２は、回折格子パターンとホログラムとからなる複合パターン４を例示する図であり、全体が横長の複合パターン４は、その中央から少し下方に、回折格子で線や面を構成した家の絵柄からなる回折格子パターン１を有し、家の上方にある雲および家の上下左右を含めた背景の絵柄からなるホログラム３を有するものである。ここで、家を回折格子パターン１で、また、背景をホログラム３としたのは、意匠的な要請に基づくものであって、この逆にしても、即ち、家をホログラム３で、また、背景を回折格子パターン１としても、差し支えない。
【００２４】
回折格子パターン１とホログラムとの複合絵柄における回折格子パターン１の輝度を下げる方法としては、図１（ａ）〜図１（ｃ）を引用して既に説明した手法を用いることができる。
【００２５】
ところで、ホログラム３は、複雑な絵柄を表現し得るので、絵柄の部位によって、輝度が異なるのが普通である。従って、ホログラムの輝度に合わせて、回折格子パターン１の輝度を下げる際には、試行錯誤的に回折格子パターン１の輝度の値を決めてもよいが、ホログラム３の輝度の代表値を定め、その代表値を基準に決めた輝度の値を目標にして、回折格子パターン１の輝度を下げることが好ましい。
【００２６】
まず、ホログラム３の輝度の代表値としては、輝度が最も高い最大値、および輝度が最も低い最小値がある。ホログラム３の絵柄の輝度が高い方から低い方まで一様に分布している場合、回折格子パターン１を目立たせるようにするには、ホログラム３の輝度の最大値を基準とし、ホログラム３の輝度の最大値の０．７倍〜１．５倍程度の範囲の値と、回折格子パターン１の輝度を一致させることが好ましい。
【００２７】
ホログラム３の絵柄が輝度の高い方に寄っている場合には、回折格子パターン１の輝度を、ホログラム３の輝度の最頻値の値を外した、即ち、ホログラム３の輝度の最頻値の値の０．７倍〜０．９倍程度、もしくは１．１倍〜１．５倍程度の範囲の値と一致させることが好ましい。ホログラム３の絵柄が輝度の低い方に寄っている場合には、回折格子パターン１の輝度を、ホログラム３の輝度の最頻値の値を外し、実際には、ホログラム３の輝度の最大値の０．７倍〜１．５倍程度の範囲であって、かつ、ホログラム３の輝度の最頻値の値の１．１倍以上とすることが好ましい。
【００２８】
回折格子パターン１が上記のいずれのタイプのものであるにせよ、電子線描画装置を用いてのマスクブランク板への露光、ドライエッチング等を行なうことにより、回折格子パターン１の原型を作成することができる。マスクブランク板に形成された原型からは、さらに樹脂型を作成して、回折格子パターン１の複製用型とすることができる。また、原型から得られた回折格子パターン１の複製用の樹脂型以外の部分に感光性樹脂を適用しておき、二光束干渉法により、ホログラム３を露光し、現像することにより、回折格子パターン１とホログラム３とが複合された複合絵柄を複製し得る複製用型を得ることができる。
【００２９】
上記のいずれかの複製用型を用い、フィルム上に塗布された感光性樹脂の塗布面に型面を密着させ、紫外線照射等により、感光性樹脂を硬化させ、複製用型を脱型することにより、回折格子パターン１に基づく微細凹凸面、もしくは、回折格子パターン１およびホログラム基づく微細凹凸面を形成させ、これら微細凹凸面上に反射性金属層等からなる反射性層を蒸着等により形成することにより、回折格子パターン１を有するフィルム、もしくはホログラムを伴なった回折格子パターンを有するフィルムを得ることができる。必要に応じ、接着剤層を更に積層する等して、ラベルの形態、もしくは転写シートの形態とし、種々の物品に適用することができる。
【００３０】
本発明の回折格子パターンおよびホログラムを伴なった回折格子パターン（以降の用途の説明においては、両方の意味を含めて、単に「回折格子パターン」と言う。）は、種々の用途に供することができる。
【００３１】
本発明の回折格子パターンが適用され得る物品として代表的なものに預貯金用カードやクレジットカード等のカード類がある。これらカード類は、本人確認用（＝ＩＤ用）のための情報を有しており、重要度が高いものである。具体的には、銀行等の預貯金カード、クレジットカード、もしくは身分証明書等が該当するが、必ずしもカード形態ではない預金通帳、受験票、パスポート等もＩＤの機能を有しており、これらにも適用し得る。
【００３２】
また、紙幣、商品券、株券、証券、乗車券、航空券等、あるいは、交通機関や公衆電話用のプリペイドカード等の物品にも、本発明の回折格子パターンを適用することができる。これらには金額、発行者、発行番号、もしくは注意書等の情報が記録されており、金銭もしくは金銭代替的な価値を有するか、券面等に記載されたサービスの提供を受けることができる。
【００３３】
本発明の回折格子パターンは、有名ブランド商品や、それらのケースにも適用し得る。具体的には、高級腕時計、貴金属、宝飾品等の、いわゆる有名ブランド商品と言われる、世界的に著名な高級商品、それらの収納箱やケース等の物品であり、これらは通常、高価なものであるので、偽造の対象となりやすいものである。
【００３４】
また、音楽ソフト、映像ソフト、コンピュータソフト、もしくはゲームソフト等が記録された記憶媒体、それらのケース等の物品にも、本発明の回折格子パターンを適用し得る。これらは、必ずしも高価なものとは限らないが、不正に大量複製されて市販されると、正規の商品の製造元や販売元が重大な損害を被る恐れがあるものである。
【００３５】
【発明の効果】
請求項１もしくは請求項２の発明によれば、単位回折格子を配置した間に何も配置されて無いか、または／および、単位回折格子を配置した間に格子間隔の広い単位回折格子を配置したので、元の単位回折格子のみから得られる回折格子パターンにくらべて、輝度の低い回折格子パターンを提供することができる。
【００３６】
請求項３の発明によれば、請求項１または請求項２の発明の回折格子パターンとホログラムとを複合したので、輝度の差に基づく違和感の少ない、ホログラムを伴なった回折格子パターンを提供することができる。
【００３７】
請求項４の発明によれば、請求項３の発明の効果に加え、違和感がより少ない、ホログラムを伴なった回折格子パターンを提供することができる。
【図面の簡単な説明】
【図１】本発明の回折格子パターンを説明する図である。
【図２】ホログラムを伴なった回折格子パターンを示す図である。
【符号の説明】
１　　回折格子パターン
２　　区域（２ａ；単位回折格子Ａ、２ｂ；単位回折格子Ｂ）
３　　ホログラム
４　　複合パターン
【図１】
2004077780.tif 000003
【図２】
2004077780.tif 000004